Podtech/llm-jp-corpus-v4-ja_patent huggingface dataset:
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
遊技領域に設けられる始動口への遊技球の入賞に基づいて抽選遊技を実行可能な遊技機において、
前記遊技領域の構成部材であって、前記遊技球が転動可能な透明樹脂部材からなる透明樹脂パネルと、
遊技者によって操作可能な操作手段と、
遊技状態に応じた装飾演出を可能であって、発光部を備えた複数の装飾部材を有する装飾演出手段と、を備え、
前記装飾演出手段は、
前記操作手段の操作によって、前記発光部を備えた複数の前記装飾部材のうち一部を前記透明樹脂パネルの裏面において装飾演出し、他を当該裏面とは異なる位置で装飾演出することを特徴とする遊技機。
【請求項２】
遊技状態に応じて所定の演出画像を表示可能な液晶表示装置を備えることを特徴とする請求項１に記載の遊技機。
【請求項３】
前記遊技領域には、前記始動口の他に遊技球が入賞可能な入賞口が設けられることを特徴とする請求項１又は請求項２に記載の遊技機。
【手続補正２】
【補正対象書類名】明細書
【補正対象項目名】０００２
【補正方法】変更
【補正の内容】
【０００２】
パチンコ機等の遊技機では、ユーザインタフェースとして操作手段を設け、この操作手段の操作により、遊技内容の選択等を行わせ、演出内容を変更させる技術が存在する。例えば、操作手段としてジョグシャトルを設け、遊技者が、遊技機に設定されるこのジョグシャトルの操作有効期間において、ジョグシャトルを前後左右に傾動操作を行い、遊技機の液晶画面上に表示されたポインタを、相互に異なる演出と紐付けられた複数の選択図柄のいずれかの上へ移動させ、ＰＵＳＨボタンの押下することにより、遊技者が選択した予告演出が実行されるようになっている（例えば、特許文献１参照）。
【手続補正３】
【補正対象書類名】明細書
【補正対象項目名】０００３
【補正方法】変更
【補正の内容】
【０００３】
また、遊技機が、操作要求期間中に遊技者に対して操作手段への操作を促し、遊技者はこの操作の誘導に応じて押圧操作又は回転操作を行うと、遊技者によってなされた操作に応じて液晶画面上で演出を実行する技術が開示されている（例えば、特許文献２参照）。
【手続補正４】
【補正対象書類名】明細書
【補正対象項目名】０００５
【補正方法】変更
【補正の内容】
【０００５】
従来の操作手段における遊技者の操作に応じた操作対応演出は、液晶画面上における演出画像であって、表示画面領域に限られたものであった。このため、操作対応演出に遊技者の関心を引き付けることが難しく、遊技への興趣心の低下を招く懸念があった。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、以上のような従来技術の課題に基づいてなされたものであり、その目的は、遊技者の操作手段に対する操作意欲を高め、遊技への興趣心を向上させることのできる遊技機を提供することにある。
【手続補正８】
【補正対象書類名】明細書
【補正対象項目名】０００９
【補正方法】変更
【補正の内容】
【０００９】
上記課題を解決するため、本発明は以下のような構成を有する。
遊技領域に設けられる始動口への遊技球の入賞に基づいて抽選遊技を実行可能な遊技機において、
前記遊技領域の構成部材であって、前記遊技球が転動可能な透明樹脂部材からなる透明樹脂パネルと、
遊技者によって操作可能な操作手段と、
遊技状態に応じた装飾演出を可能であって、発光部を備えた複数の装飾部材を有する装飾演出手段と、を備え、
前記装飾演出手段は、
前記操作手段の操作によって、前記発光部を備えた複数の前記装飾部材のうち一部を前記透明樹脂パネルの裏面において装飾演出し、他を当該裏面とは異なる位置で装飾演出することを特徴とする遊技機。
【手続補正９】
【補正対象書類名】明細書
【補正対象項目名】００１０
【補正方法】変更
【補正の内容】
【００１０】
以上のような態様によれば、遊技者が操作手段において操作を行った場合に、操作対応演出として複数の装飾部材が装飾演出を行う。そして、装飾部材の一部は遊技領域の裏側に位置し、他は異なる位置で装飾演出を行う。このため、遊技領域全体で広く操作対応演出を行うことができるので、遊技者に遊技に対する期待感を強く抱かせることが可能となる。したがって、操作意欲を高めて遊技への興趣心を向上させることが可能となる。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
遊技球の始動口への入賞を検出する始動口センサと、
前記始動口センサにより遊技球の入賞が検出される毎に大当り抽選を行うための乱数データを発生させる乱数発生手段と、
前記乱数発生手段により発生した乱数データを元に、抽選結果について図柄を変動表示した後停止させることで確定させる図柄変動制御手段と、
前記抽選結果が特定結果となる場合に特定の遊技状態を発生させる特定遊技状態制御手段と、
前記図柄が前記特定結果を示す態様で停止する期待度を報知する期待度報知手段と、
遊技者による回転操作を可能にする回動部材を備えた回転操作手段と、を備え、
前記期待度報知手段は、前記回転操作手段の回転動作態様によって前記期待度を報知することを特徴とする遊技機。
【請求項２】
遊技状態に応じて所定の演出画像を表示可能な液晶表示装置を備えることを特徴とする請求項１に記載の遊技機。
【請求項３】
遊技領域には、前記始動口の他に遊技球が入賞可能な入賞口が設けられることを特徴とする請求項１又は請求項２に記載の遊技機。
【手続補正２】
【補正対象書類名】明細書
【補正対象項目名】０００２
【補正方法】変更
【補正の内容】
【０００２】
パチンコ機等の遊技機では、ユーザインタフェースとして操作手段を設け、この操作手段の操作により、遊技内容の選択等を行わせ、演出内容を変更させる技術が存在する。例えば、操作手段としてジョグシャトルを設け、遊技者が、遊技機に設定されるこのジョグシャトルの操作有効期間において、ジョグシャトルを前後左右に傾動操作を行い、遊技機の液晶画面上に表示されたポインタを、相互に異なる演出と紐付けられた複数の選択図柄のいずれかの上へ移動させ、ＰＵＳＨボタンの押下することにより、遊技者が選択した予告演出が実行されるようになっている（例えば、特許文献１参照）。
【手続補正３】
【補正対象書類名】明細書
【補正対象項目名】０００３
【補正方法】変更
【補正の内容】
【０００３】
また、遊技機が、操作要求期間中に遊技者に対して操作手段への操作を促し、遊技者はこの操作の誘導に応じて押圧操作又は回転操作を行うと、遊技者によってなされた操作に応じて演出を実行する技術が開示されている（例えば、特許文献２参照）。
【手続補正４】
【補正対象書類名】明細書
【補正対象項目名】０００６
【補正方法】変更
【補正の内容】
【０００６】
従来の操作手段における遊技者の操作は、演出の選択する選択手段にすぎず、遊技者は、楽しみ方の幅が狭い操作手段に飽きていた。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明は、以上のような従来技術の課題に基づいてなされたものであり、その目的は、操作手段における機能を広げることで、遊技者の遊技への興趣心を向上させることのできる遊技機を提供することにある。
【手続補正９】
【補正対象書類名】明細書
【補正対象項目名】００１１
【補正方法】変更
【補正の内容】
【００１１】
上記課題を解決するため、本発明は以下のような構成を有する。
［態様１］
遊技球の始動口への入賞を検出する始動口センサと、
前記始動口センサにより遊技球の入賞が検出される毎に大当り抽選を行うための乱数データを発生させる乱数発生手段と、
前記乱数発生手段により発生した乱数データを元に、抽選結果について図柄を変動表示した後停止させることで確定させる図柄変動制御手段と、
前記抽選結果が特定結果となる場合に特定の遊技状態を発生させる特定遊技状態制御手段と、
前記図柄が前記特定結果を示す態様で停止する期待度を報知する期待度報知手段と、
遊技者による回転操作を可能にする回動部材を備えた回転操作手段と、を備え、
前記期待度報知手段は、前記回転操作手段の回転動作態様によって前記期待度を報知することを特徴とする遊技機。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
以上のような態様によれば、図柄が特定結果となる期待度（例えば大当り信頼度）を、操作手段における回転動作態様によって報知することで、操作手段そのものを予告演出装置として機能させる。このため、操作手段における遊技の楽しみ方の幅が広がり、遊技者の遊技への興趣心を向上させることができる。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
遊技球の始動口への入賞を検出する始動口センサと、
前記始動口センサにより遊技球の入賞が検出される毎に大当り抽選を行うための乱数データを発生させる乱数発生手段と、
前記乱数発生手段により発生した乱数データを一時的に記憶し、記憶したデータ数を保留数とする保留数記憶手段と、
前記乱数データから、当該乱数が遊技者にとって有利な状態を示すものであるか判定する判定手段と、
遊技者によって操作可能な操作手段と、
前記操作手段の操作内容に応じた操作演出と、当該操作演出を実行する演出装置にて当該操作内容にかかわらず当該操作演出と異なる特定演出とを実行可能な演出実行手段と、を備え、
前記演出実行手段は、前記判定手段によって判定された遊技状態が特定の状態となる場合に前記特定演出を実行可能であって、さらに当該特定演出の実行前に前記操作演出を実行可能とし、前記演出装置における一連の演出として当該操作演出と当該特定演出とを実行可能とすることを特徴とする遊技機。
【請求項２】
遊技状態に応じて所定の演出画像を表示可能な液晶表示装置を備えることを特徴とする請求項１に記載の遊技機。
【請求項３】
遊技領域には、前記始動口の他に遊技球が入賞可能な入賞口が設けられることを特徴とする請求項１又は請求項２に記載の遊技機。
【手続補正２】
【補正対象書類名】明細書
【補正対象項目名】０００２
【補正方法】変更
【補正の内容】
【０００２】
パチンコ機等の遊技機では、ユーザインタフェースとして操作手段を設け、この操作手段の操作により、遊技内容の選択等を行わせ、演出内容を変更させる技術が存在する。例えば、操作手段としてジョグシャトルを設け、遊技者が、遊技機に設定されるこのジョグシャトルの操作有効期間において、ジョグシャトルを前後左右に傾動操作を行い、遊技機の液晶画面上に表示されたポインタを、相互に異なる演出と紐付けられた複数の選択図柄のいずれかの上へ移動させ、ＰＵＳＨボタンの押下することにより、遊技者が選択した予告演出が実行されるようになっている（例えば、特許文献１参照）。
【手続補正３】
【補正対象書類名】明細書
【補正対象項目名】０００３
【補正方法】変更
【補正の内容】
【０００３】
また、遊技機が、操作要求期間中に遊技者に対して操作手段への操作を促し、遊技者はこの操作の誘導に応じて押圧操作又は回転操作を行うと、遊技者によってなされた操作に応じて演出を実行する技術が開示されている（例えば、特許文献２参照）。
【手続補正４】
【補正対象書類名】明細書
【補正対象項目名】０００５
【補正方法】変更
【補正の内容】
【０００５】
従来の操作手段における遊技者の操作は、操作実感が乏しいことから遊技者の操作意欲が減退し、遊技への興趣心の低下を招く懸念があった。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、以上のような従来技術の課題に基づいてなされたものであり、その目的は、遊技者の操作手段に対する操作意欲の減退を防止し、遊技への興趣心の低下を抑制させることのできる遊技機を提供することにある。
【手続補正８】
【補正対象書類名】明細書
【補正対象項目名】０００９
【補正方法】変更
【補正の内容】
【０００９】
上記課題を解決するため、本発明は以下のような構成を有する。
遊技球の始動口への入賞を検出する始動口センサと、
前記始動口センサにより遊技球の入賞が検出される毎に大当り抽選を行うための乱数データを発生させる乱数発生手段と、
前記乱数発生手段により発生した乱数データを一時的に記憶し、記憶したデータ数を保留数とする保留数記憶手段と、
前記乱数データから、当該乱数が遊技者にとって有利な状態を示すものであるか判定する判定手段と、
遊技者によって操作可能な操作手段と、
前記操作手段の操作内容に応じた操作演出と、当該操作演出を実行する演出装置にて当該操作内容にかかわらず当該操作演出と異なる特定演出とを実行可能な演出実行手段と、を備え、
前記演出実行手段は、前記判定手段によって判定された遊技状態が特定の状態となる場合に前記特定演出を実行可能であって、さらに当該特定演出の実行前に前記操作演出を実行可能とし、前記演出装置における一連の演出として当該操作演出と当該特定演出とを実行可能とすることを特徴とする遊技機。
【手続補正９】
【補正対象書類名】明細書
【補正対象項目名】００１０
【補正方法】変更
【補正の内容】
【００１０】
以上のような態様によれば、特定演出が実行される特定の状態であっても操作演出を実行可能なので、遊技者は常に自身の操作に対して操作実感を得ることができる。このため、操作意欲の減退を防止し、遊技への興趣心の低下を抑制することができる。また、操作選出が特定演出の前兆演出となるので、遊技者に操作への積極的な参加を促すことが可能になる。
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
遊技球の始動口への入賞を検出する始動口センサと、
前記始動口センサにより遊技球の入賞が検出される毎に大当り抽選を行うための乱数データを発生させる乱数発生手段と、
前記乱数データから、当該乱数が大当りを示すものであるか判定する判定手段と、
遊技者によって操作可能な操作手段と、
所定の演出画像を表示可能な演出表示装置と、
前記操作手段の操作内容に応じて可動体の一部を可動させる第一可動演出と、当該第一可動演出と異なり前記判定手段の判定結果に応じて当該可動体を可動させる第二可動演出とを実行可能な可動演出実行手段と、を備え、
前記可動演出実行手段は、
前記第二可動演出において、前記可動体を前記演出表示装置の外周に位置する初期状態から当該演出表示装置の視認可能範囲を変化させる出現状態に可動し、
前記第二可動演出の実行有無に関わらず前記第一可動演出を実行可能に、当該第一可動演出と前記第二可動演出とを個々に動作可能に構成することを特徴とする遊技機。
【請求項２】
前記所定の演出画像に合わせた音を出力可能なスピーカを備えることを特徴とする請求項１に記載の遊技機。
【請求項３】
遊技領域には、前記始動口の他に遊技球が入賞可能な入賞口が設けられることを特徴とする請求項１又は請求項２に記載の遊技機。
【手続補正２】
【補正対象書類名】明細書
【補正対象項目名】０００２
【補正方法】変更
【補正の内容】
【０００２】
パチンコ機等の遊技機では、ユーザインタフェースとして操作手段を設け、この操作手段の操作により、遊技内容の選択等を行わせ、演出内容を変更させる技術が存在する。例えば、操作手段としてジョグシャトルを設け、遊技者が、遊技機に設定されるこのジョグシャトルの操作有効期間において、ジョグシャトルを前後左右に傾動操作を行い、遊技機の液晶画面上に表示されたポインタを、相互に異なる演出と紐付けられた複数の選択図柄のいずれかの上へ移動させ、ＰＵＳＨボタンの押下することにより、遊技者が選択した予告演出が実行されるようになっている（例えば、特許文献１参照）。
【手続補正３】
【補正対象書類名】明細書
【補正対象項目名】０００３
【補正方法】変更
【補正の内容】
【０００３】
また、遊技機が、操作要求期間中に遊技者に対して操作手段への操作を促し、遊技者はこの操作の誘導に応じて押圧操作又は回転操作を行うと、遊技者によってなされた操作に応じて演出を液晶画面上で実行する技術が開示されている（例えば、特許文献２参照）。
【手続補正４】
【補正対象書類名】明細書
【補正対象項目名】０００５
【補正方法】変更
【補正の内容】
【０００５】
従来の操作手段における遊技者の操作に応じた操作対応演出は、液晶画面上における演出画像であって、表示画面領域に限られたものであった。このため、操作対応演出に遊技者の関心を引き付けることが難しく、遊技への興趣心の低下を招く懸念があった。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明は、以上のような従来技術の課題に基づいてなされたものであり、その目的は、遊技者の操作手段に対する操作意欲を高め、遊技への興趣心の低下を抑制させることのできる遊技機を提供することにある。
【手続補正７】
【補正対象書類名】明細書
【補正対象項目名】０００８
【補正方法】変更
【補正の内容】
【０００８】
上記課題を解決するため、本発明は以下のような構成を有する。
［態様１］
遊技球の始動口への入賞を検出する始動口センサと、
前記始動口センサにより遊技球の入賞が検出される毎に大当り抽選を行うための乱数データを発生させる乱数発生手段と、
前記乱数データから、当該乱数が大当りを示すものであるか判定する判定手段と、
遊技者によって操作可能な操作手段と、
所定の演出画像を表示可能な演出表示装置と、
前記操作手段の操作内容に応じて可動体の一部を可動させる第一可動演出と、当該第一可動演出と異なり前記判定手段の判定結果に応じて当該可動体を可動させる第二可動演出とを実行可能な可動演出実行手段と、を備え、
前記可動演出実行手段は、
前記第二可動演出において、前記可動体を前記演出表示装置の外周に位置する初期状態から当該演出表示装置の視認可能範囲を変化させる出現状態に可動し、
前記第二可動演出の実行有無に関わらず前記第一可動演出を実行可能に、当該第一可動演出と前記第二可動演出とを個々に動作可能に構成することを特徴とする遊技機。
【手続補正８】
【補正対象書類名】明細書
【補正対象項目名】０００９
【補正方法】変更
【補正の内容】
【０００９】
以上のような態様によれば、一つの可動体（左右可動演出ユニット）において、第一可動演出（遊技者の操作によって可動する回転装飾体３４１０Ａの回転演出）と、第二可動演出（回転ユニット３４１０のスライド演出）とを適宜組み合わせた多彩な可動演出を提供することができるので、遊技者の操作意欲を高め、遊技への興趣心の低下を抑制することができる。例えば、有利遊技状態に当たる遊技状態において第二可動演出を実行する場合、第二可動演出実行前に遊技者による操作手段の操作を促し、遊技者が操作すると、第一可動演出を契機に第二可動演出が行われたかのように見せることができる。すなわち、遊技者の操作による操作対応演出（第一可動演出）を第二可動演出の前兆演出と位置付けることができ、遊技者の操作意欲を高めることができる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
動画像の品質を示す評価値を算出する情報処理装置であって、
チャート画像を各フレーム画像に含む入力動画のデータを入力する第１の入力手段と、
前記入力動画の各フレーム画像における前記チャート画像の位置を示す位置情報を取得する第２の入力手段と、
前記入力動画の各フレーム画像から、前記チャート画像が映っている部分画像を前記位置情報に従って切り出して変換動画を生成する切り出し手段と、
前記変換動画を少なくとも時間方向に周波数変換する変換手段と、
前記変換手段が得た周波数成分値に従って前記評価値を算出する算出手段と、
を備えることを特徴とする情報処理装置。
【請求項２】
前記入力動画は、前記チャート画像を各フレーム画像に含む動画を表示装置が表示し、該表示された動画を撮像装置が撮像することにより得られたものであることを特徴とする、請求項１に記載の情報処理装置。
【請求項３】
前記チャート画像を取得する第３の入力手段と、
前記変換動画の各フレーム画像の各画素値から、前記チャート画像の各画素値を減算する減算手段と、をさらに備え、
前記変換手段は、前記減算手段による処理後の前記変換動画を、時間方向及び空間方向に周波数変換することを特徴とする、請求項２に記載の情報処理装置。
【請求項４】
前記第３の入力手段は、前記チャート画像を含むフレーム画像を前記表示装置が表示し、該表示されたフレーム画像を前記撮像装置が撮像することにより得られた静止画像から、前記チャート画像を取得することを特徴とする、請求項３に記載の情報処理装置。
【請求項５】
前記チャート画像を空間方向に周波数変換することによって得られる周波数成分値を取得する第３の入力手段をさらに備え、
前記変換手段は、前記変換動画を時間方向及び空間方向に周波数変換し、
前記算出手段は、前記変換手段が得た空間方向の周波数成分値と前記第３の入力手段が得た周波数成分値との差分、並びに前記変換手段が得た時間方向の周波数成分値に従って、前記評価値を算出することを特徴とする、請求項１に記載の情報処理装置。
【請求項６】
前記変換手段は、周波数変換によって得られた周波数成分値に対し、動画像の観察者の視覚特性に従って重み付けを行うことを特徴とする、請求項１乃至５の何れか１項に記載の情報処理装置。
【請求項７】
撮像装置に複数の撮像パラメータのうちの１つを順次設定する設定手段と、
前記チャート画像を各フレーム画像に含むテスト動画を表示装置が表示し、該表示されたテスト動画を前記設定後の撮像装置が撮像することにより得られた前記入力動画について、請求項１乃至６の何れか１項に記載の情報処理装置が算出した前記評価値を取得する取得手段と、
前記複数の撮像パラメータから、より高い前記評価値が得られる撮像パラメータを選択する選択手段と、
を有することを特徴とする情報処理装置。
【請求項８】
前記表示装置は、第１のテスト動画と、当該第１のテスト動画とは前記チャート画像の移動速度と前記チャート画像の周波数特性との少なくとも一方が異なる第２のテスト動画を表示し、
前記選択手段は、前記第１のテスト動画を用いて得られた前記評価値に従って前記撮像装置が用いる第１の撮像パラメータを選択し、かつ前記第２のテスト動画を用いて得られた前記評価値に従って前記撮像装置が用いる第２の撮像パラメータを選択する
ことを特徴とする、請求項７に記載の情報処理装置。
【請求項９】
動画像の品質を示す評価値を算出する情報処理装置が行う情報処理方法であって、
前記情報処理装置の第１の入力手段が、チャート画像を各フレーム画像に含む入力動画のデータを入力する第１の入力工程と、
前記情報処理装置の第２の入力手段が、前記入力動画の各フレーム画像における前記チャート画像の位置を示す位置情報を取得する第２の入力工程と、
前記情報処理装置の切り出し手段が、前記入力動画の各フレーム画像から、前記チャート画像が映っている部分画像を前記位置情報に従って切り出して変換動画を生成する切り出し工程と、
前記情報処理装置の変換手段が、前記変換動画を少なくとも時間方向に周波数変換する変換工程と、
前記情報処理装置の算出手段が、前記変換工程で得た周波数成分値に従って前記評価値を算出する算出工程と、
を備えることを特徴とする情報処理方法。
【請求項１０】
情報処理装置が行う情報処理方法であって、
前記情報処理装置の設定手段が、撮像装置に複数の撮像パラメータのうちの１つを順次設定する設定工程と、
前記情報処理装置の取得手段が、前記チャート画像を各フレーム画像に含むテスト動画を表示装置が表示し、該表示されたテスト動画を前記設定後の撮像装置が撮像することにより得られた前記入力動画について、請求項９に記載の情報処理方法を用いて算出した前記評価値を取得する取得工程と、
前記情報処理装置の選択手段が、前記複数の撮像パラメータから、より高い前記評価値が得られる撮像パラメータを選択する選択工程と、
を有することを特徴とする情報処理方法。
【請求項１１】
コンピュータを、請求項１乃至６の何れか１項に記載の情報処理装置の各手段として機能させるための、コンピュータプログラム。
【請求項１２】
コンピュータを、請求項７又は８に記載の情報処理装置の各手段として機能させるための、コンピュータプログラム。
【手続補正２】
【補正対象書類名】明細書
【補正対象項目名】０００７
【補正方法】変更
【補正の内容】
【０００７】
本発明の目的を達成するために、例えば、本発明の情報処理装置は以下の構成を備える。すなわち、
動画像の品質を示す評価値を算出する情報処理装置であって、
チャート画像を各フレーム画像に含む入力動画のデータを入力する第１の入力手段と、
前記入力動画の各フレーム画像における前記チャート画像の位置を示す位置情報を取得する第２の入力手段と、
前記入力動画の各フレーム画像から、前記チャート画像が映っている部分画像を前記位置情報に従って切り出して変換動画を生成する切り出し手段と、
前記変換動画を少なくとも時間方向に周波数変換する変換手段と、
前記変換手段が得た周波数成分値に従って前記評価値を算出する算出手段と、
を備えることを特徴とする。
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
複数の色に対応する複数のカラーフィルタを有するカラーフィルタアレイを介してそれぞれが互いに異なる視点から撮像された、各画素が前記複数の色のうちの少なくとも一つの色の情報を欠いている複数のカラー画像を取得する取得手段と、
前記複数のカラー画像を、前記欠いている色の情報の補間を行う前に合成することで、少なくとも一つの画素が前記複数の色の全ての情報を有する合成画像を生成する生成手段と
を有することを特徴とする画像処理装置。
【請求項２】
前記複数のカラー画像の合成において、互いに画素値を合成する画素を決定する決定手段を更に有し、
前記生成手段は、前記決定手段により決定された画素の画素値同士を合成することで前記合成画像を生成する
ことを特徴とする請求項１に記載の画像処理装置。
【請求項３】
前記生成手段は、前記決定手段により決定された画素において、同じ色に対応する画素値が複数存在する場合に、当該同じ色に対応する複数の画素値の平均値を求めることにより、当該同じ色の画素値を算出することを特徴とする請求項２に記載の画像処理装置。
【請求項４】
前記合成画像においてフォーカスする位置を示すフォーカス情報を入力する入力手段を更に有し、
前記決定手段は、前記フォーカス情報が示すフォーカス位置と、前記複数のカラー画像の撮像に用いられた撮像手段の光学パラメータとに基づいて、前記合成する画素位置を決定する
ことを特徴とする請求項２又は３に記載の画像処理装置。
【請求項５】
前記合成画像は、前記複数の色のうちの少なくとも一つの色の情報を有しかつ前記複数の色のうちの少なくとも一つの色の情報を欠いている欠落画素を少なくとも一つ含み、
前記生成手段は、前記合成画像に対し、前記欠落画素に前記欠いている色の情報を補間するための補間処理を更に行うことを特徴とする請求項１乃至４のいずれか一項に記載の画像処理装置。
【請求項６】
前記生成手段は、前記合成画像の各画素および前記複数の色のそれぞれについて、各画素が各色の情報を有するかを判定し、前記複数の色の全てに関する情報は有しないと判定された画素に、前記欠いている色の情報を補間するための前記補間処理を行うことを特徴とする請求項５に記載の画像処理装置。
【請求項７】
前記生成手段は、前記合成画像において前記欠落画素に隣接している画素の画素値を用いて、前記欠落画素に前記欠いている色の情報を補間するための前記補間処理を行うことを特徴とする請求項５又は６に記載の画像処理装置。
【請求項８】
請求項１乃至７のいずれか一項に記載の画像処理装置と、前記複数のカラー画像を撮像する複数の撮像手段とを有する撮像装置。
【請求項９】
複数の色に対応する複数のカラーフィルタを有するカラーフィルタアレイを介してそれぞれが互いに異なる視点から撮像された、各画素が前記複数の色のうちの少なくとも一つの色の情報を欠いている複数のカラー画像を取得する取得工程と、
前記複数のカラー画像を、前記欠いている色の情報の補間を行う前に合成することで、少なくとも一つの画素が前記複数の色の全ての情報を有する合成画像を生成する生成工程と
を含むことを特徴とする画像処理方法。
【請求項１０】
コンピュータを請求項１乃至７のいずれか一項に記載の画像処理装置として機能させるプログラム。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
冷媒容器により形成されたコイル支持構造と、
コイル支持構造によって支持された超伝導コイルと、
コイル支持構造によって支持された電気伝導性かつ熱伝導性の巻き線と、を備える超伝導マグネットシステムであって、
超伝導コイルは該冷媒容器の底壁上に巻き付けられており、かつ各伝導巻き線は対応する超伝導コイル上に巻き付けられており、
各伝導巻き線は対応する超伝導コイルと電磁気的に結合されており、各伝導巻き線は電気的に短絡されている、超伝導マグネットシステム。
【請求項２】
各伝導巻き線は、コイル支持構造と対応する超伝導コイルのうちの一方と物理的に接触するか、あるいはコイル支持構造と対応する超伝導コイルの両方と物理的に接触している、請求項１に記載の超伝導マグネットシステム。
【請求項３】
前記冷媒容器はドーナツ形状をしている、請求項１または２に記載の超伝導マグネットシステム。
【請求項４】
熱シールドと、
熱シールド内に同軸性に配列されたコイル支持構造とした巻き型と、
コイル支持構造によって支持された超伝導コイルと、
コイル支持構造によって支持された電気伝導性かつ熱伝導性の巻き線と、
を備え、
各伝導巻き線は対応する超伝導コイルと電磁気的に結合されており、各伝導巻き線は電気的に短絡されており、
前記伝導巻き線は前記巻き型の内表面上に据え付けられており、かつ各超伝導コイルは対応する伝導巻き線の内表面上に据え付けられている、超伝導マグネットシステム。
【請求項５】
前記熱シールドはドーナツ形状であり、前記巻き型は円筒形状である、請求項４に記載の超伝導マグネットシステム。
【請求項６】
前記巻き型は金属材料から製作されている、請求項４または５に記載の超伝導マグネットシステム。
【請求項７】
前記金属材料はアルミニウムである、請求項６に記載の超伝導マグネットシステム。
【請求項８】
熱シールドと、
その各々が複数のスロットを画定しているような、熱シールド内に配列されると共に熱シールドの底壁とアキシャル方向で平行なコイル支持構造を形成する金属バーと、
コイル支持構造によって支持された超伝導コイルと、
コイル支持構造によって支持された電気伝導性かつ熱伝導性の巻き線と、
を備え、
各伝導巻き線は対応する超伝導コイルと電磁気的に結合されており、各伝導巻き線は電気的に短絡されており、
前記伝導巻き線は前記金属バーのスロット上にそれぞれ据え付けられており、かつ各超伝導コイルは対応する伝導巻き線の内表面上に据え付けられている、超伝導マグネットシステム。
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
それぞれエネルギーの異なる電子ビームを出射する複数の電子発生部と、
出射された電子ビームを受けてＸ線を発生するＸ線発生部と、
前記電子ビームに基づくＸ線が選択的に被検体に照射されるように、電子ビームを偏向する偏向手段と、
を備えるＸ線管球。
【請求項２】
前記電子発生部は、第１の電子発生部と第２の電子発生部とを含み、
前記第１の電子発生部は、第１の電子ビームを出射し、
前記第２の電子発生部は、前記第１の電子ビームとはエネルギーの異なる第２の電子ビームを出射し、
前記偏向手段は、前記第１の電子ビーム及び前記第２の電子ビームの方向を、第１の方向、または前記第１の方向とは異なる第２の方向に切り替え可能であり、
前記Ｘ線発生部は、第１の面と、第２の面と、第３の面と、第４の面と、を備え、
前記第１の電子ビーム及び前記第２の電子ビームが前記第１の方向に向かう場合、前記第１の面が第１の電子ビームを受けることにより、所定の照射野に向けて第１のＸ線が照射され、かつ前記第２の面が前記第２の電子ビームを受けることにより、前記所定の照射野とは異なる方向に向けて前記第１のＸ線とは異なる第２のＸ線が照射され、
前記第１の電子ビーム及び前記第２の電子ビームが第２の方向に向かう場合、前記第３の面が前記第１の電子ビームを受けることにより、前記所定の照射野とは異なる方向に向けて前記第１のＸ線が照射され、かつ前記第４の面が前記第２の電子ビームを受けることにより、前記所定の照射野に向けて前記第２のＸ線が照射される、
ことを特徴とする請求項１に記載のＸ線管球。
【請求項３】
前記第１の面は、前記第４の面への前記第２の電子ビームの入射角度とは異なる入射角度で、前記第１の電子ビームを受けることを特徴とする請求項２に記載のＸ線管球。
【請求項４】
前記第１の面と、前記第４の面とのうち、前記エネルギーの高い電子ビームを受ける面が、他方の面より浅い入射角度で当該電子ビームを受けることを特徴とする請求項３に記載のＸ線管球。
【請求項５】
前記偏向手段は、
互いの間に電場を形成可能であり、かつ互いの間を前記第１の電子ビーム及び前記第２の電子ビームが通過するように配置された一対の電極を備え、
前記電場により前記第１の電子ビーム及び前記第２の電子ビームの双方を偏向させることを特徴とする請求項２乃至請求項４のいずれか一つに記載のＸ線管球。
【請求項６】
被検体に向けてＸ線を照射する照射窓を備えたＸ線管球と、
前記照射窓から照射されたＸ線を検出するＸ線検出器と、
を有するＸ線ＣＴ装置であって、
前記Ｘ線管球は、
それぞれエネルギーの異なる電子ビームを出射する複数の電子発生部と、
出射された電子ビームを受けてＸ線を発生するＸ線発生部と、
前記電子ビームに基づくＸ線が選択的に被検体に照射されるように、電子ビームを偏向する偏向手段と、
を備えるＸ線ＣＴ装置。
【手続補正２】
【補正対象書類名】明細書
【補正対象項目名】０００６
【補正方法】変更
【補正の内容】
【０００６】
上記目的を達成するために、この発明の第１の形態は、Ｘ線管球が、複数の電子発生部と、Ｘ線発生部と、偏向手段とを備える。複数の電子発生部は、それぞれエネルギーの異なる電子ビームを出射する。Ｘ線発生部は、出射された電子ビームを受けてＸ線を発生する。偏向手段は、電子ビームに基づくＸ線が選択的に被検体に照射されるように、電子ビームを偏向する。
また、この発明の第２の形態は、Ｘ線管球と、Ｘ線検出器と、を有するＸ線ＣＴ装置である。Ｘ線管球は、被検体に向けてＸ線を照射する照射窓を備える。Ｘ線検出器は、Ｘ線管球から照射されたＸ線を検出する。また、Ｘ線管球は、複数の電子発生部と、Ｘ線発生部と、偏向手段とを備える。複数の電子発生部は、それぞれエネルギーの異なる電子ビームを出射する。Ｘ線発生部は、出射された電子ビームを受けてＸ線を発生する。偏向手段は、電子ビームに基づくＸ線が選択的に被検体に照射されるように、電子ビームを偏向する。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
静磁場中に配置された被検体にＲＦパルスを照射する送信部と、
前記ＲＦパルスの照射を含む所定のパルスシーケンスを用いた撮像を制御する撮像制御部と、
前記ＲＦパルスによって、被検体に吸収されるＳＡＲ値を求めるＳＡＲ計算部と、
前記ＳＡＲ値が所定の制限値を超えるか否かを監視するＳＡＲ監視部と、
を備えた磁気共鳴イメージング装置であって、
前記ＳＡＲ計算部は、前記被検体毎に、
前記被検体のＲＦ吸収量を求め、
該ＲＦ吸収量に基づいて前記所定のパルスシーケンスのＳＡＲ値を求める
ことを特徴とする磁気共鳴イメージング装置。
【請求項２】
請求項１記載の磁気共鳴イメージング装置において、
前記被検体に複数の検査が行われる場合に、
前記ＳＡＲ計算部は、前記検査毎に、
前記被検体のＲＦ吸収量を求め、
該ＲＦ吸収量に基づいて、前記所定のパルスシーケンスのＳＡＲ値を求める
ことを特徴とする磁気共鳴イメージング装置。
【請求項３】
請求項１又は２記載の磁気共鳴イメージング装置において、
前記ＳＡＲ計算部は、基準ＲＦパルスのＲＦ吸収量を求め、該基準ＲＦパルスのＲＦ吸収量と、前記被検体の体重と、前記所定のパルスシーケンスを構成するＲＦパルスの組み合わせと、に基づいて、該所定のパルスシーケンスのＳＡＲ値を求めることを特徴とする磁気共鳴イメージング装置。
【請求項４】
請求項１乃至３のいずれか一項に記載の磁気共鳴イメージング装置において、
前記ＳＡＲ計算部は、基準ＲＦパルスを用いたＳＡＲ計測専用シーケンスに基づいて、前記ＲＦ吸収量を求めることを特徴とする磁気共鳴イメージング装置。
【請求項５】
請求項１乃至３のいずれか一項に記載の磁気共鳴イメージング装置において、
前記ＳＡＲ計算部は、基準ＲＦパルスの強度を設定する基準ＲＦパルス強度設定シーケンスに基づいて、前記ＲＦ吸収量を求めることを特徴とする磁気共鳴イメージング装置。
【請求項６】
請求項３に記載の磁気共鳴イメージング装置において、
前記ＳＡＲ計算部は、前記基準ＲＦパルスの強度とＲＦ吸収量との関係に基づいて、前記基準ＲＦパルスの強度を用いて前記ＲＦ吸収量を求めることを特徴とする磁気共鳴イメージング装置。
【請求項７】
請求項３に記載の磁気共鳴イメージング装置において、
前記ＳＡＲ計算部は、前記被検体の体重と前記ＲＦ吸収量との関係に基づいて、前記被検体の体重を用いて前記ＲＦ吸収量を求めることを特徴とする磁気共鳴イメージング装置。
【請求項８】
請求項１に記載の磁気共鳴イメージング装置であって、
前記被検体の温度上昇を計測する温度計測部を備え、前記ＳＡＲ計算部は、前記温度計測部により得られた値を用い、前記計算したＳＡＲ値との誤差が大きい場合、ＳＡＲ値を温度計測による値で置き換えることを特徴とする磁気共鳴イメージング装置。
【請求項９】
静磁場中に配置された被検体にＲＦパルスの照射によって該被検体に吸収されるＳＡＲ値を予測するＳＡＲ予測方法であって、
前記被検体のＲＦ吸収量を求めるステップと、
前記ＲＦ吸収量に基づいて所定のパルスシーケンスのＳＡＲ値を求めるステップと、
前記ＳＡＲ値が所定の制限値を超えるか否かを監視するステップと、を有してなることを特徴とするＳＡＲ予測方法。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
複数の導光ユニットを具備する導光部を含み、
前記導光ユニットは各々、
受信された光を出射する出射面、該出射面に対向する下面、及び前記出射面と下面とを連結する側面を含む導光板と、
前記側面の中の少なくとも１つに向かって光を照射する複数の光源と、
前記光が照射される側面と前記光源との間に配置されるバンドパスフィルターと、を具備することを特徴とするバックライトユニット。
【請求項２】
前記導光部は
第１導光ユニット、及び該第１導光ユニットから光が出射される方向の上に配置される第２導光ユニットを含むことを特徴とする請求項１に記載のバックライトユニット。
【請求項３】
前記バンドパスフィルターは各々屈折率が互に異なる複数のフィルムが積層された複数のフィルターユニットを含むことを特徴とする請求項１に記載のバックライトユニット。
【請求項４】
前記フィルターユニットは第１フィルム、及び該第１フィルムの上に配置され、前記第１フィルムと屈折率が異なる第２フィルムを具備することを特徴とする請求項３に記載のバックライトユニット。
【請求項５】
前記第１フィルムはポリエチレンナフタレートを含み、
前記第２フィルムはポリスチレンを含むことを特徴とする請求項４に記載のバックライトユニット。
【請求項６】
前記バンドパスフィルターは各々５つ以上のフィルターユニットが積層された構造を具備することを特徴とする請求項３に記載のバックライトユニット。
【請求項７】
前記バンドパスフィルターは入射された光の中で透過しようとする光以外の光を７０％以上反射することを特徴とする請求項３に記載のバックライトユニット。
【請求項８】
各光源は
発光ダイオードチップと、
該発光ダイオードチップを封止するモールディング部と、
前記発光ダイオードチップから発生する光を集光するレンズ部と、を含むことを特徴とする請求項１に記載のバックライトユニット。
【請求項９】
前記レンズ部は前記発光ダイオードチップから発生された光をガイドする光ガイド部及び前記光を集光する集光部を含むことを特徴とする請求項８に記載のバックライトユニット。
【請求項１０】
前記光源は前記光ガイド部を囲む反射部材をさらに含むことを特徴とする請求項９に記載のバックライトユニット。
【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
第１導電型半導体層と、
前記第１導電型半導体層の上に井戸層及び障壁層を有する活性層と、
前記活性層の上に第２導電型半導体層とを備え、
前記井戸層は、
前記第１導電型半導体層に最も隣接し、第１エネルギーバンドギャップを有する第１井戸層と、
前記第２導電型半導体層に最も隣接し、第３エネルギーバンドギャップを有する第３井戸層と、
前記第１井戸層と前記第３井戸層との間に位置し、第２エネルギーバンドギャップを有する第２井戸層とを備え、
前記第１導電型半導体層はｎ型半導体層であり、前記第２導電型半導体層はｐ型半導体層であり、
前記井戸層のうち前記第３井戸層が前記ｐ型半導体層に最も隣接するように配置され、
前記第３井戸層の前記第３エネルギーバンドギャップは前記第２井戸層の前記第２エネルギーバンドギャップ及び前記第１井戸層の前記第１エネルギーバンドギャップより大きい、発光素子。
【請求項２】
前記第３井戸層の厚さは前記第２井戸層の厚さより厚く、
前記第１井戸層と前記第２井戸層は組成が同一である請求項１に記載の発光素子。
【請求項３】
前記第２井戸層の厚さは前記第１井戸層の厚さより厚い、請求項１または２に記載の発光素子。
【請求項４】
前記第３井戸層の厚さは前記第１井戸層の厚さより厚い、請求項１乃至３のいずれかに記載の発光素子。
【請求項５】
前記第３井戸層の厚さは、前記第１井戸層または第２井戸層の厚さの１１０％乃至１３０％である、請求項１乃至４のいずれかに記載の発光素子。
【請求項６】
前記活性層で発光する光がブルー（Blue）光の場合、前記第３井戸層の厚さは３．９ｎｍである、請求項１乃至５のいずれかに記載の発光素子。
【請求項７】
前記第１井戸層の第１エネルギーバンドギャップは、前記第２井戸層の第２エネルギーバンドギャップと同一である、請求項１乃至６のいずれかに記載の発光素子。
【請求項８】
前記第１井戸層の第１エネルギーバンドギャップと前記第３井戸層の第３エネルギーバンドギャップは互いに同一である、請求項１乃至７のいずれかに記載の発光素子。
【請求項９】
前記第３井戸層の厚さは前記第２井戸層の厚さより厚い、請求項１、請求項３乃至８のいずれかに記載の発光素子。
【請求項１０】
前記第１井戸層の厚さは前記第２井戸層の厚さより厚い、請求項１、請求項２、請求項４乃至９のいずれかに記載の発光素子。
【請求項１１】
前記第３エネルギーバンドギャップは、前記第２エネルギーバンドギャップ対比１０１％乃至１１０％である、請求項１乃至１０のいずれかに記載の発光素子。
【請求項１２】
前記活性層で発光する光がブルー（Blue）光の場合、前記第３エネルギーバンドギャップは、２．８ｅＶ乃至３．０８ｅＶである、請求項１乃至１１のいずれかに記載の発光素子。
【請求項１３】
前記第３井戸層の第３エネルギーバンドギャップと前記第２井戸層の第２エネルギーバンドギャップ、または前記第１井戸層の第１エネルギーバンドギャップとのエネルギーギャップの差（energy gap difference）は０．１ｅＶ以内である、請求項１乃至１２のいずれかに記載の発光素子。
【請求項１４】
前記第３井戸層で発生する光の波長は前記第２井戸層で発生する光の波長より２０ｎｍ以内と、より短い、請求項１乃至１３のいずれかに記載の発光素子。
【請求項１５】
前記第３井戸層で発生する光の波長は、前記第２井戸層で発生する光の波長より２ｎｍ以上２０ｎｍ以内と、より短い、請求項１乃至１４のいずれかに記載の発光素子。
【請求項１６】
前記井戸層はＩｎを含み、
前記第３井戸層は、前記第２井戸層より小さなＩｎ含有量を有する、請求項１乃至１５のいずれかに記載の発光素子。
【請求項１７】
前記第３井戸層のＩｎ含有量は、前記第２井戸層のＩｎ含有量対比９０％乃至９９％である、請求項１乃至１６のいずれかに記載の発光素子。
【請求項１８】
前記井戸層の組成式がＩｎｘＡｌｙＧａ１−ｘ−ｙＮ（０≦ｘ≦１，０≦ｙ≦１，０≦ｘ＋ｙ≦１）の場合、
前記第３井戸層のＩｎの組成（ｘ３）が前記第２井戸層のＩｎの組成（ｘ２）対比０．０２以内の範囲の小さい、請求項１乃至１７のいずれかに記載の発光素子。
【請求項１９】
前記活性層では、実質的に同じ色の光が発光する、請求項１乃至１８のいずれかに記載の発光素子。
【請求項２０】
前記第３井戸層、第２井戸層で発光する光の波長は異なり、かつ前記活性層で発光する光は実質的に同じ色の光である、請求項１乃至１９のいずれかに記載の発光素子。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
磁気装置を有するスピントルク発振器を有するシステムであって、前記磁気装置が、
磁気異方性を有する自由層を包含する複数の層からなるスタックであって、前記磁気異方性が少なくとも部分的に不均一であることを特徴とするスタックと、
前記スタックの外側周辺部の周辺に少なくとも部分的に形成され、前記自由層に隣接し、前記スタックの複数の層の少なくとも１つの他の層に形成される反強磁性層であって、該反強磁性層が前記自由層と弱い交換結合され、反強磁性層の弱い交換結合が自由層の磁気異方性の不均一を減らすことを特徴とする反強磁性層と、
を有することを特徴とするシステム。
【請求項２】
前記反強磁性層が、第１の反強磁性物質層からなり、
前記スタックが、
前記自由層と隣接し、弱い交換結合された第２の反強磁性物質層とを更に有し、
前記第２の反強磁性物質層の弱い交換結合が、自由層の磁気異方性の不均一を更に減らし、前記第２の反強磁性物質層が前記自由層の外側周辺部（５４）周辺で、少なくとも部分的に形成されることを特徴とする請求項１に記載のシステム。
【請求項３】
前記自由層の外側周辺部の周辺に少なくとも部分的に形成された柔らかい層であって、前記柔らかい層が前記自由層の磁気異方性の不均一を更に減らすことを特徴とする柔らかい層と、
前記スタックの外側周辺部の周辺に少なくとも部分的に形成され、前記自由層に隣接する分断層であって、前記自由層の磁気異方性の不均一を更に減らすことを特徴とする分断層と、
前記自由層の第１の側に形成されたピン留め層であって、前記第２の反強磁性物質層が、前記第１の側と反対の前記自由層の第２の側にあることを特徴とする、ピン留め層と、
を更に有することを特徴とする請求項２に記載のシステム。
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
ホスト（９２）及びクライアント（９４）が接続されたシステム（１０，５０）において無線通信チャンネルを変更するための方法であって、
接続を介してデータを送受信する段階と、
接続のリンク品質を監視して、前記接続が元の状態に留まっているかどうか決定する段階（７０，１２０）と、
もし前記接続が所定の閾値以下のリンク品質を持っているが元の状態に留まっているときに（７２，１２２）、下記の動作、すなわち
前記接続を介してチャンネル切換え要求（１０２，１４６）を送り及び受け取る動作（７６，１２４）、
前記システム（１０，５０）のチャンネルを新しいチャンネル（９８，１４４）へ変更する動作（８２，１３２）、並びに
前記新しいチャンネル（９８，１４４）で前記システム（１０，５０）の通信を再開させる動作（１１４、１５４）
を遂行する段階と、
を有する方法。
【請求項２】
前記リンク品質が、信号対ノイズ比、信号強度、データ検証を失敗したパッケージの数、及び脱落したパッケージの数の内の１つ以上を監視するホスト（９２）又はクライアント（９４）によって決定される（７０，１２０）、請求項１記載の方法。
【請求項３】
チャンネル切換え要求（１０２，１４６）が、要求者が切り換えようとしている新しいチャンネル（９８，１４４）を表している、請求項１または２に記載の方法。
【請求項４】
チャンネル切換え要求（１０２）が、新しいチャンネル（９８）へ変更する前に現在のチャンネル（９６）で交換すべき同期化パッケージ（１０６）の数を表している、請求項１乃至３のいずれかに記載の方法。
【請求項５】
同期化パッケージ（１０６）を交換することが、
前記ホスト（９２）により、同期化パッケージ（１０６）を前記クライアント（９４）へ相次いで送り出し、その際に残っている同期化パッケージ（１０６）の数のカウントを減数し、次いで、残っている同期化パッケージ（１０６）の数のカウントがカウントダウン目標に到達するまで、前記クライアント（９４）からの同期化パッケージ（１０６）応答を待って受け取ること、並びに
前記クライアント（９４）により、相次いで前記ホスト（９２）からの同期化パッケージ（１０６）を待って受け取り、次いで、残っている同期化パッケージ（１０６）の数のカウントがカウントダウン目標に到達するまで、受け取った同じ数値を有する同期化パッケージ（１０６）を前記ホスト（９２）へ送り返すこと、
を有している、請求項４記載の方法。
【請求項６】
前記ホスト（９２）及びクライアント（９４）装置のいずれかが、チャンネル切換え要求（１４６）を他の装置へ送った後に該他の装置に対する接続を切断する、請求項１乃至５のいずれかに記載の方法。
【請求項７】
前記接続が元の状態に留まっていない場合、下記の動作、すなわち、
前記ホスト装置（９２）により、異なるチャンネル（１４４）を選択して、該異なるチャンネル（１４４）で標識を送信する動作（１３０）、及び
前記クライアント装置（９４）により、複数のチャンネルを走査して、ホスト装置（９２）の標識が検出される前記異なるチャンネル（１４４）を突き止める動作（１２６）、並びに
前記ホスト（９２）とクライアント（９４）とが前記異なるチャンネル（１４４）で再接続して（１３２）、システム（５０）の通信を再開する動作（１５４）
が遂行される、請求項１乃至６のいずれかに記載の方法。
【請求項８】
Ｘ線源（１８）と、前記Ｘ線源（１８）からの放射線の放出を制御するように構成された回路（２２）と、１つ以上の無線通信インターフェースとを有するイメージング・ホスト装置（９２）であって、前記無線インターフェースが、
複数の検出器クライアント（９４）と接続を介してデータを交換し、
或る１つの検出器クライアント（９４）に対する接続のリンク品質を連続的に監視して、該接続が元の状態のままであるかどうか決定し（７０）、
前記接続のリンク品質が所定の閾値以下であるが前記接続が元の状態のままであるときに（７２）、下記の動作、すなわち
チャンネル切換え要求（１０２）を前記接続を介して前記クライアント（９４）へ送る動作（７６）、
チャンネル切換え要求（１０２）を前記接続を介して前記クライアント（９４）で受ける動作、
前記チャンネル切換え要求（１０２）に基づいて新しいチャンネル（９８）における新しい接続を確立する動作（１３２）、及び
前記新しい接続で前記システム（１０）の通信を再開させる動作を遂行するするように構成されている回路（２２）を含んでいること、
を特徴とするイメージング・ホスト装置（９２）。